(57)【要約】【課題】入浴者が眩しさを感じるおそれがなく、浴槽の任意の位置にＬＥＤを設置できるＬＥＤ水中照明装置を提供すること。【解決手段】直進性の強いＬＥＤ３，４からの光を透過率の高い拡散板６，７にて拡散させるように構成され、更に、前記拡散板６，７を光照射方向に所定間隔をおいて二つ以上配置してある。【選択図】        図３
2004265653.tif 000002
【特許請求の範囲】
【請求項１】
直進性の強いＬＥＤからの光を透過率の高い拡散板にて拡散させるように構成され、更に、前記拡散板を光照射方向に所定間隔をおいて二つ以上配置してあることを特徴とするＬＥＤ水中照明装置。
【請求項２】
浴槽内の水中に光を照射できるよう設けられている請求項１記載のＬＥＤ水中照明装置。
【請求項３】
色の異なる複数種類のＬＥＤを設けた請求項１または請求項２に記載のＬＥＤ水中照明装置。
【発明の詳細な説明】
【０００１】
【発明の属する技術分野】
この発明は、ＬＥＤ水中照明装置に関する。
【０００２】
【従来の技術】
【特許文献１】特開２００１−３０９８６５公報
ＬＥＤ（発光ダイオード）からの光の照射により浴槽内の水中を効果的に演出して入浴時のリラックス感を得るように構成されたＬＥＤ水中照明装置が提案されている（前記特許文献１参照）。これは、例えば赤色や緑色、更には、青色など色の異なる複数種類のＬＥＤを、通常の入浴姿勢状態では直視し難い浴槽の水没箇所に透過窓を介して設置することにより、各ＬＥＤの点光源が通常の入浴姿勢の入浴者の視界内に見えず、眩しさを感じることなくＬＥＤから発せられた光によって水が着色されたようにみえるというものである。
【０００３】
【発明が解決しようとする課題】
ところで、ＬＥＤが発する光は指向性を有しており、直進性の強いＬＥＤは、狭い照射角度でもって超高輝度の光を発する。そのため、前記特許文献１では、ＬＥＤの点光源を直視し難い浴槽の水没箇所にＬＥＤを設置している。
【０００４】
この発明は、前記の点に留意してなされたものであり、その目的は、入浴者が眩しさを感じるおそれがなく、浴槽の任意の位置にＬＥＤを設置できるＬＥＤ水中照明装置を提供することである。
【０００５】
【課題を解決するための手段】
前記課題を解決するために、この発明のＬＥＤ水中照明装置は、直進性の強いＬＥＤからの光を透過率の高い拡散板にて拡散させるように構成され、更に、前記拡散板を光照射方向に所定間隔をおいて二つ以上配置してあることを特徴とする。
【０００６】
この発明では、直進性の強いＬＥＤを設けている。直進性の強いＬＥＤとは、指向性が高い光を発するＬＥＤを意味し、例えば隣接するＬＥＤからの光がそれぞれ光照射方向において直ぐには混ざり難いような狭い照射角度でもって超高輝度の光を発するＬＥＤを意味する。
【０００７】
また、この発明では、例えば、色の異なる複数種類のＬＥＤを設けている（請求項３）。色の異なる複数種類のＬＥＤとは、三つのＬＥＤを設けた場合、全てが色の異なるＬＥＤであったり、また、二つは例えば赤色の光を発するＬＥＤで、残りの一つは例えば青色の光を発するＬＥＤである等のことを意味する。
【０００８】
そして、例えば赤色の光を発するＬＥＤと青色の光を発するＬＥＤを設けた場合、各ＬＥＤの輝度分布にムラがあっても赤色の明るい光と青色の明るい光が混ざり合った結果輝度分布において明るい桃色の均一な光を出現させるために、この発明では、光量のロスを最小限に抑える透過率の高い拡散板を光照射方向に所定間隔をおいて二つ以上配置している。そして、二つ以上の拡散板で散乱した後には赤色の光と青色の光が混ざった輝度分布にムラの少ない桃色の光が最終段の拡散板を通して出現する。更に、前記各拡散板は、透過率が高いので、赤色の明るい光と青色の明るい光が前記各拡散板で散乱しても暗い光にはなり難く、最終段の拡散板からは桃色の光量ロスの少ない光を出現させることができる。しかも、拡散板を二つ以上配置しているので、すなわち、光照射方向に沿って二重、三重など複数多重の拡散板を配置しているので、入浴者の入浴状態にかかわらずＬＥＤの点光源が入浴者の視界内に見えるおそれはなくなる。そのため、この発明ではＬＥＤを浴槽のどの箇所にも設置できる余裕ができ、前記特許文献１に記載された発明のように、ＬＥＤの点光源を直視し難い浴槽の水没箇所にわざわざＬＥＤを設置する必要はなくなる。すなわち、この発明では、浴槽の任意の位置にＬＥＤを設置できる。
【０００９】
【発明の実施の形態】
以下にこの発明の実施の形態について説明する。なお、この発明はそれによって限定されるものではない。
【００１０】
図１〜図５は、この発明の一実施形態を示す。
【００１１】
図１〜図５において、１は、浴槽Ａの洗い場側の壁Ｗに形成した設置穴１ａに取り付けられたＬＥＤ水中照明装置で、ディスク状の基板２の前面２ａに実装された色の異なる複数種類のＬＥＤ３，４を有する。設置穴１ａは丸穴である。そして、ＬＥＤ３は、例えば赤色の明るい光を発するチップを点光源として有し、ＬＥＤ４は例えば青色の明るい光を発するチップを点光源として有する。各チップは樹脂製透明カバー３ａ，４ａで保護されている。
【００１２】
ＬＥＤ水中照明装置１は、ＬＥＤ３，４が実装された前記基板２と、この基板２がはめ込まれた有底筒状の照明部本体５と、この照明部本体５の前面開口５ａ内に取り付けられる、光を拡散させる透過率の高い拡散板６と、基板２の光照射方向における前方で、かつ、拡散板６の後面側に位置してＬＥＤ３，４からの明るい光を入射して前記拡散板６に向かう散乱光を出射する透過率の高いディスク状の拡散板７とから主としてなる。前記拡散板６，７は透過率の高いもので、例えば、プラスチック材料に適宜拡散材を入れたものを挙げることができる。
【００１３】
更に、前記照明部本体５は、内径大径部と内径小径部を前後に有し、前記内径大径部は、前から順に、前面開口５ａを形成する外向きフランジ８と、雌ねじ部９および基板はめ込み部１０をそれぞれ有し、また、前記内径小径部は、雄ねじ部１１を有するとともに、前記配線１４を挿通させるための丸穴１３を底部１２の中央に有する。配線１４は、例えば樹脂等でポッティングが施されており、同じく樹脂等でポッティングが施された基板２に接続された状態で基板２の後面２ｂから取り出されている。
【００１４】
また、照明部本体５に取り付けられる前記拡散板６は、断面ほぼΠ形をなし、拡散板７で散乱された各ＬＥＤ３，４からの光を更に散乱させる正面視円形で、所定の厚みを有する板状の拡散板本体１５と、この拡散板本体１５の後面１５ａから後ろ側に向かって突出形成された筒状の脚体１６とで構成されている。拡散板本体１５は、板状であるが、外周縁から中央部分にかけて外向き（前側）に緩やかに凸状に湾曲した形状をなす。前記脚体１６には、雄ねじＭが形成されている。そして前記ディスク状の拡散板７は、拡散板本体１５と対向する形で、所定間隔Ｌを有して脚体１６内に固定状態で設置されている。
【００１５】
また、拡散板本体１５は、Ｏリング嵌込み用の環状溝１５ｃが後面１５ａの側に形成された環状外周縁部１９を有する。２０は、環状溝１５ｃに嵌込まれる防水用のＯリングである。一方、拡散板本体１５は、前面１５ｂに形成された複数のはめ込み孔２２を外周縁に有し、このはめ込み孔２２に工具の係止部を差し込み工具を回動させることで拡散板６が照明部本体５に取り付けられる。
【００１６】
３０は、照明部本体５の前記雄ねじ部１１に螺合するナット部材である。
【００１７】
２３は、防水用の環状パッキンで、丸穴の設置穴１ａに嵌込み可能な大きさを有する。環状パッキン２３は、外周面部に環状凹所２４を有し、この環状凹所２４に設置穴１ａを形成している壁Ｗの周面部２５が嵌まり込む構成となっている。この環状パッキン２３は、照明部本体５の前記内径大径部に外嵌した状態で照明部本体５に取り付けられている。このとき、環状パッキン２３の前側の径方向外側に向いたフランジ２３ａは、照明部本体５の外向きフランジ８の後面と壁Ｗの内面ｒで挟まれた状態になっている。一方、環状パッキン２３の後側の径方向外側に向いたフランジ２３ｂは、ナット部材３０の前面に形成してある外向きフランジ３１の前面と壁Ｗの外面Ｒで挟まれた状態になっている。
【００１８】
そして、照明部本体５の前記雌ねじ部９と雄ねじＭの螺合によって前面開口５ａを介して拡散板６が照明部本体５に取り付けられる。このとき、照明部本体５の外向きフランジ８の前面は拡散板本体１５の前記環状外周縁部１９に後ろ側から当接していることから、拡散板６を照明部本体５に対して強固に締付けることで、また、ナット部材３０を強固に締付けることで、浴槽Ａ内の混合水が、外向きフランジ８および環状外周縁部１９間からＬＥＤ水中照明装置１内にリークするのをＯリング２０で防止できる。また、浴槽Ａの壁Ｗに設けた設置穴１ａから浴槽Ａ内の混合水が徐々に抜けてしまうのを環状パッキン２３で防止できる。
【００１９】
以下、動作原理について図６を用いて説明する。説明を簡略化するために図６には、赤色の明るい光を発する二つのＬＥＤ３，３と青色の明るい光を発する一つのＬＥＤ４だけを示している。
【００２０】
ＬＥＤ３，３からの赤色の明るい光とＬＥＤ４からの青色の明るい光がディスク状の拡散板（以下、第１の拡散板という）７に入射する。この場合、隣接するＬＥＤ３，３，４からの光がそれぞれ光照射方向において直ぐには混ざり難いような例えば５〜３０°、好ましくは１０〜２０°の狭い照射角度θでもって超高輝度の光がＬＥＤ３，３、４から発せられる。
【００２１】
続いて、第１の拡散板７からは拡散した赤色の光ａ，ａ、拡散した青色の光ｂが、照明部本体５の前面開口５ａ内に取り付けられた拡散板（以下、第２の拡散板という）６に向かう。すなわち、第１の拡散板７によって光が散乱する。更に、第１の拡散板７は、透過率が高いので、光量のロスは少ない。そして、第１の拡散板７は、第２の拡散板６の拡散板本体１５と対向する形で、所定間隔Ｌを有して設置されていることから、前記拡散光ａ，ａ、ｂが第１の拡散板７および第２の拡散板６間を通過して拡散板本体１５に主として入射する。
【００２２】
拡散板本体１５への入射後、拡散板本体１５によって前記拡散光ａ，ａ、ｂが更に拡散される。しかも、拡散板本体１５は、透過率が高いので、光量のロスは少ない。
【００２３】
このようにして、赤色の明るい光と青色の明るい光が混ざり合った結果輝度分布において明るい桃色の均一な光を出現させることができる。更に、第１の拡散板７を第２の拡散板６の脚体１６内に固定状態で設置できるので、第２の拡散板６の拡散板本体１５との前記間隔Ｌを短くすることができ、小型化が可能なコンパクトなＬＥＤ水中照明装置１を得ることができる。
【００２４】
そして、前記各拡散板６，７は、透過率が高いので、赤色の明るい光と青色の明るい光が前記各拡散板６，７を散乱しても暗い光にはなり難く、前記拡散板６からは桃色の光量ロスの少ない光を出現させることができる。しかも、光照射方向に沿って二重に拡散板を配置しているので、入浴者の入浴状態にかかわらずＬＥＤ３，４の前記チップや前記透明カバー３ａ，４ａが入浴者の視界内に見えるおそれはなくなる。
【００２５】
上記実施形態では、二種類のＬＥＤを用い、その一つを赤色の光を発するＬＥＤ３とし、他のＬＥＤを青色の光を発するＬＥＤ４としたものを示したが、この発明では、一つを赤色の光を発するＬＥＤ３とし、他のＬＥＤを緑色の光を発するＬＥＤとしてもよく、また、一つを青色の光を発するＬＥＤとし、他のＬＥＤを緑色の光を発するＬＥＤとしてもよい。
【００２６】
また、この発明では、例えば赤色の光を発するＬＥＤ３、青色の光を発するＬＥＤ４および緑色の光を発するＬＥＤの三種類のＬＥＤを用いてもよい。
【００２７】
そして、この発明では、上記赤色、青色あるいは緑色以外の光を発するＬＥＤを用いてもよい。
【００２８】
更に、この発明では、二種類、三種類に限らず四種類以上の光を発するＬＥＤを用いてもよい。
【００２９】
【発明の効果】
以上説明したようにこの発明は、入浴者が眩しさを感じるおそれがなく、浴槽の任意の位置にＬＥＤを設置でき、ＬＥＤの点光源を直視し難い浴槽の水没箇所にわざわざＬＥＤを設置する必要はなくなる。
【図面の簡単な説明】
【図１】この発明の一実施形態における使用状態を示す斜視図である。
【図２】上記実施形態を示す構成説明図である。
【図３】上記実施形態を示す分解斜視図である。
【図４】上記実施形態を示す背面図である。
【図５】上記実施形態を示す正面図である。
【図６】上記実施形態における動作を説明するための図である。
【符号の説明】
１…ＬＥＤ水中照明装置、３，４…直進性の強いＬＥＤ、６，７…透過率の高い拡散板。
【図１】
2004265653.tif 000003
【図２】
2004265653.tif 000004
【図３】
2004265653.tif 000005
【図４】
2004265653.tif 000006
【図５】
2004265653.tif 000007
【図６】
2004265653.tif 000008